(57)【要約】【課題】ユーザの手を煩わすことなくメモリカード内のデータを整理でき、利便性が高い画像閲覧装置を提供する。【解決手段】カードＩ／Ｆ１０およびカードＩ／Ｆ２０にそれぞれメモリカードが接続されると、制御部１００が、画像データが記憶された撮影済みメモリカードから画像データを読み出し、この画像データの日付データから撮影日時を検出し、保存用メモリカードに上記撮影日時のフォルダを作成して、日付毎に画像データを振り分けて記録するようにしたものである。【選択図】      図１
2009159327.tif 000002
【特許請求の範囲】
【請求項１】
メモリカードから画像データを読み出して、この画像データに基づく画像を表示する画像閲覧装置において、
画像データを記録可能なメモリカードをそれぞれ接続する２つのインタフェースと、
前記２つのインタフェースのうち、一方のインタフェースを通じて、このインタフェースに接続されたメモリカードに記録された画像データに含まれる日付けデータを検出する日付検出手段と、
前記２つのインタフェースのうち、他方のインタフェースを通じて、このインタフェースに接続されたメモリカードに、前記日付データに基づく名称のフォルダを作成するフォルダ作成手段と、
前記日付検出手段が日付データを検出した画像データを前記一方のインタフェースを通じて読み出し、この読み出した画像データを前記他方のインタフェースを通じて、前記フォルダに記録するデータ記録手段とを具備することを特徴とする画像閲覧装置。
【請求項２】
前記日付検出手段は、前記２つのインタフェースのうち、先にメモリカードが接続された方のインタフェースを通じて、このインタフェースに接続されたメモリカードに記録された画像データに含まれる日付けデータを検出し、
前記フォルダ作成手段は、前記２つのインタフェースのうち、後にメモリカードが接続されたインタフェースを通じて、このインタフェースに接続されたメモリカードに、前記日付データに基づく名称のフォルダを作成するフォルダ作成手段と、
前記データ記録手段は、前記日付検出手段が日付データを検出した画像データを、先にメモリカードが接続された方のインタフェースを通じて読み出し、この読み出した画像データを、残る一方のインタフェースを通じて、前記フォルダに記録することを特徴とする請求項１に記載の画像閲覧装置。
【請求項３】
前記日付検出手段は、前記２つのインタフェースのうち、後にメモリカードが接続された方のインタフェースを通じて、このインタフェースに接続されたメモリカードに記録された画像データに含まれる日付けデータを検出し、
前記フォルダ作成手段は、前記２つのインタフェースのうち、先にメモリカードが接続されたインタフェースを通じて、このインタフェースに接続されたメモリカードに、前記日付データに基づく名称のフォルダを作成するフォルダ作成手段と、
前記データ記録手段は、前記日付検出手段が日付データを検出した画像データを、後にメモリカードが接続された方のインタフェースを通じて読み出し、この読み出した画像データを、残る一方のインタフェースを通じて、前記フォルダに記録することを特徴とする請求項１に記載の画像閲覧装置。
【請求項４】
前記日付検出手段、前記フォルダ作成手段および前記データ記録手段は、前記２つのインタフェースにそれぞれメモリカードが接続された場合に、それぞれの処理を実行することを特徴とする請求項１に記載の画像閲覧装置。
【請求項５】
さらに、前記データ記録手段が画像データを記録した場合に、その画像データを前記一方のインタフェースを通じて、このインタフェースに接続されたメモリカードから消去するデータ消去手段を備えることを特徴とする請求項１に記載の画像閲覧装置。
【請求項６】
さらに、前記２つのインタフェースのうち、一方のインタフェースに画像データが記録されたメモリカードを接続するように促す表示と、他方のインタフェースに画像データを記録するためのメモリカードを接続するように促す表示を行う表示制御手段を備えることを特徴とする請求項１に記載の画像閲覧装置。
【発明の詳細な説明】
【技術分野】
【０００１】
この発明は、画像データを表示するのに用いられる画像閲覧装置に関する。
【背景技術】
【０００２】
周知のように、デジタルカメラの普及は目覚ましく、パーソナルコンピュータ（以下、パソコンと略称する）に精通しないユーザへも浸透してきている。さらに、昨今のメモリカードの価格低下により、メモリカードを再利用せずに画像データを記録した電子アルバムとして保存しておきたいという要求が高くなってきている背景がある。
【０００３】
しかし、パソコンに精通しないユーザは、撮影後の画像データを容易に整理できない問題があり、整理されないままメモリカードで保存するか、印刷してメモリカード内のデータを削除するといった方法で管理され、画像データの再利用や、整理が容易ではなかった。また、大量に画像データが格納されたメモリカードを店頭の写真印刷機に持ち込んだ際に、整理されていないため写真の選択に時間がかかる問題があった。
【０００４】
また従来においては、メモリカードに記録された画像データを表示する画像閲覧装置がある（例えば、特許文献１）。しかしながら、従来の画像閲覧装置は、メモリカードの画像データを読み出して表示する機能を備えるに過ぎないので、表示したくない画像データなどがメモリカードに含まれる場合には、ユーザは予めメモリカード内の不要な画像データを削除する必要があり、手間がかかるという問題があった。
【特許文献１】特開２００１−０１６５３６公報
【発明の開示】
【発明が解決しようとする課題】
【０００５】
従来の画像閲覧装置は、画像データを表示させる前に、画像データを整理する必要があり、利便性が低いという問題があった。  
この発明は上記の問題を解決すべくなされたもので、ユーザの手を煩わすことなくメモリカード内のデータを整理でき、利便性が高い画像閲覧装置を提供することを目的とする。
【課題を解決するための手段】
【０００６】
上記の目的を達成するために、この発明は、メモリカードから画像データを読み出して、この画像データに基づく画像を表示する画像閲覧装置において、画像データを記録可能なメモリカードをそれぞれ接続する２つのインタフェースと、２つのインタフェースのうち、一方のインタフェースを通じて、このインタフェースに接続されたメモリカードに記録された画像データに含まれる日付けデータを検出する日付検出手段と、２つのインタフェースのうち、他方のインタフェースを通じて、このインタフェースに接続されたメモリカードに、日付データに基づく名称のフォルダを作成するフォルダ作成手段と、日付検出手段が日付データを検出した画像データを一方のインタフェースを通じて読み出し、この読み出した画像データを他方のインタフェースを通じて、フォルダに記録するデータ記録手段とを具備して構成するようにした。
【発明の効果】
【０００７】
以上述べたように、この発明では、メモリカードを接続するためのインタフェースを２つ備え、画像データが記憶された撮影済みメモリカードから画像データを読み出し、この画像データの日付データから撮影日時を検出し、保存用メモリカードに上記撮影日時のフォルダを作成して、日付毎に画像データを振り分けて記録するようにしている。
【０００８】
したがって、この発明によれば、ユーザは、撮影済みメモリカードと保存用のメモリカードを接続するという簡単な操作だけで、保存用メモリカードに画像データを日付毎のフォルダに振り分けて保存できるので、ユーザは手を煩わすことなくメモリカード内のデータを整理でき、利便性が高い画像閲覧装置を提供できる。
【発明を実施するための最良の形態】
【０００９】
以下、図面を参照して、この発明の一実施形態について説明する。  
図１は、この発明の一実施形態に係わる画像閲覧装置の外観を示すものである。この図に示すように、この画像閲覧装置は、スタンドＳＴにより立てて使用することができる。
【００１０】
図２は、上記画像閲覧装置の構成を示す図である。この図に示すように、画像閲覧装置は、カードＩ／Ｆ１０と、カードＩ／Ｆ２０と、電源スイッチ３０と、表示部４０と、タッチパネル５０と、ＲＡＭ６０と、ＲＯＭ７０と、電源回路８０と、バッテリ９０と、制御部１００とを備える。
【００１１】
カードＩ／Ｆ１０は、図示しないメモリカードを挿入して接続し、このメモリカードからデータを読み込んだり、あるいはデータを書き込んだりする。なお、ここでいうメモリカードとは、ディジタルカメラなどに装着し、撮影した画像を記録するもので、フラッシュメモリなどを用いた記録媒体である。  
カードＩ／Ｆ２０は、カードＩ／Ｆ１０と同様に、図示しないメモリカードを挿入して接続し、このメモリカードからデータを読み込んだり、あるいはデータを書き込んだりする。
【００１２】
電源スイッチ３０は、当該画像閲覧装置の主電源をＯＮ／ＯＦＦするためのスイッチである。  
表示部４０は、LCD(Liquid Crystal Display)や有機EL(Electro Luminescence)などの表示パネルを用いて、画像データに基づく映像を表示するものである。  
タッチパネル５０は、表示部４０の表示面上に載置され、ユーザが接触した位置の座標を検出し、この検出結果を位置情報として、制御部１００に通知する。
【００１３】
ＲＡＭ６０は、制御部１００によってデータが読み書きされ、例えば制御部１００によるデータ処理の作業領域として用いられる。  
ＲＯＭ７０は、制御部１００の制御プログラムや制御データ、アプリケーションソフトウェアを記憶する。
【００１４】
電源回路８０は、ＡＣアダプタ８１が接続される場合には、これより供給される直流電力を当該画像閲覧装置の各部に動作用の電力として供給したり、バッテリ９０の充電に用いたりする。また電源回路８０は、ＡＣアダプタ８１が接続されない場合には、バッテリ９０が蓄積する電力を当該画像閲覧装置の各部に供給する。  
バッテリ９０は、例えばリチウムイオン電池や、ニッケル水素電池などの二次電池である。
【００１５】
制御部１００は、当該画像閲覧装置の各部を統括して制御するものであって、上記ＲＯＭ７０に記録された制御プログラムや制御データにしたがって動作し、種々の機能を発揮する。例えば、制御部１００は、カードＩ／Ｆ１０またはカードＩ／Ｆ２０に接続されるメモリカードから画像データを読み出し、表示部４０を制御して上記画像データに基づく映像を表示部４０に表示する。また、制御部１００は、ＲＯＭ７０に記録されたアプリケーションソフトウェアを実行して、表示部４０上にソフトウェアキーを表示し、このソフトウェアキーに対応する座標へのユーザ操作をタッチパネル５０が検出すると、上記ソフトウェアキーに対応する制御を実施する。
【００１６】
また制御部１００は、カードＩ／Ｆ１０に接続されたメモリカードと、カードＩ／Ｆ２０に接続されたメモリカードとの間で、画像データを転送する画像データ管理機能を備える。
【００１７】
次に、上記構成の画像閲覧装置の動作について説明する。以下の説明では特に、画像データ管理機能について詳述する。この機能を実現するために制御部１００は、ＲＯＭ７０に記録された制御プログラムや制御データを読み出し、これらにしたがって図３に示すフローチャートの処理を実行する。なお、この処理は、タッチパネル５０を通じて、ユーザから上記画像データ管理機能を実行する要求はなされると開始される。
【００１８】
まずステップ３ａにおいて制御部１００は、表示部４０を制御して、「画像データが入った撮影済みのメモリカードをスロット１に挿入してください。」などの表示を行い、画像データが入ったメモリカードを、スロット１に対応するカードＩ／Ｆ１０に接続するようにユーザに促し、ステップ３ｂに移行する。以下、カードＩ／Ｆ１０に接続したメモリカードを撮影済みメモリカードと称する。
【００１９】
ステップ３ｂにおいて制御部１００は、カードＩ／Ｆ１０にメモリカードが接続されたか否かを判定する。ここで、メモリカードが接続された場合には、ステップ３ｃに移行し、一方、メモリカードが接続されていない場合には、再びステップ３ａに移行して、ユーザに対してメモリカードを接続するように促す表示を行う。
【００２０】
なおここで、画像データが入った撮影済みのメモリカードが接続されたか否かは、例えば以下のように行う。すなわち、制御部１００は、カードＩ／Ｆ１０にメモリカードが接続されると、カードＩ／Ｆ１０を通じてこのメモリカードに記録されるデータを参照し、所定のフォルダ名（一般に、「\DCIM」など）のフォルダが記憶されていることと、このフォルダに画像データが格納されていることを確認すると、画像データが入った撮影済みのメモリカードが接続されたものと判定する。
【００２１】
ステップ３ｃにおいて制御部１００は、表示部４０を制御して、「保存用のメモリカードをスロット２に挿入してください。」などの表示を行い、画像データの保存のために用いるメモリカードを、カードＩ／Ｆ２０に対応するスロット２に接続するようにユーザに促し、ステップ３ｂに移行する。以下、カードＩ／Ｆ２０に接続したメモリカードを保存用メモリカードと称する。
【００２２】
ステップ３ｄにおいて制御部１００は、カードＩ／Ｆ２０にメモリカードが接続されたか否かを判定する。ここで、メモリカードが接続された場合には、ステップ３ｅに移行し、一方、メモリカードが接続されていない場合には、再びステップ３ｃに移行して、ユーザに対してメモリカードを挿入するように促す表示を行う。
【００２３】
なおここで、画像データの保存のために用いるメモリカードが接続されたか否かは、例えば以下のように行う。すなわち、制御部１００は、カードＩ／Ｆ２０にメモリカードが接続されると、カードＩ／Ｆ２０を通じてこのメモリカードに記録されるデータを参照し、所定のフォルダ名（一般に、「\DCIM」など）のフォルダが記憶されていないことを確認すると、画像データの保存のために用いるメモリカードが接続されたものと判定する。
【００２４】
ステップ３ｅにおいて制御部１００は、カードＩ／Ｆ１０に接続された撮影済みメモリカードに、画像データが保存されているか否かを判定する。ここで、画像データが保存されている場合には、ステップ３ｇに移行し、一方、画像データが保存されていない場合には、ステップ３ｆに移行する。
【００２５】
ステップ３ｆにおいて制御部１００は、表示部４０を制御して、「画像データの振り分けが完了しました。」などの表示を行い、撮影済みメモリカードに保存されていた画像データの振り分けが完了し、撮影済みメモリカードには画像データが無くなった旨をユーザに通知し、当該処理を終了する。
【００２６】
ステップ３ｇにおいて制御部１００は、カードＩ／Ｆ１０を制御して撮影済みメモリカードに保存されている画像データの１つを選択し、この画像データに含まれる撮影日時を示す日付データを検出するとともに、この画像データのデータサイズを検出し、ステップ３ｈに移行する。
【００２７】
ステップ３ｈにおいて制御部１００は、カードＩ／Ｆ２０を制御して保存用メモリカードに、ステップ３ｇで検出したデータサイズ以上の空き容量があるか否かを判定する。ここで、ステップ３ｇで検出したデータサイズ以上の空き容量がある場合には、ステップ３ｊに移行し、一方、ステップ３ｇで検出したデータサイズ以上の空き容量がない場合には、ステップ３ｉに移行する。
【００２８】
ステップ３ｉにおいて制御部１００は、表示部４０を制御して、「保存用メモリカードがいっぱいです。」などの表示を行い、これ以上、保存用メモリカードに画像データを保存できない旨をユーザに通知し、当該処理を終了する。
【００２９】
ステップ３ｊにおいて制御部１００は、カードＩ／Ｆ２０を制御して保存用メモリカードに記録されるデータを参照し、ステップ３ｇで検出した日付データに対応する日付を名称とするフォルダが保存用メモリカードに記録されているか否かを判定し、記録されていない場合には、カードＩ／Ｆ２０を制御してステップ３ｇで検出した日付データに対応する日付を名称とするフォルダを保存用メモリカード上に作成し、ステップ３ｋに移行する。なお、上記フォルダが既にある場合、そのままステップ３ｋに移行する。
【００３０】
ステップ３ｋにおいて制御部１００は、カードＩ／Ｆ１０を制御してステップ３ｇで選択した画像データをＲＡＭ６０にいったんコピーした後、カードＩ／Ｆ２０を制御して、ＲＡＭ６０にコピーした画像データを保存用メモリカードに記録し、ステップ３ｌに移行する。
【００３１】
ステップ３ｌにおいて制御部１００は、カードＩ／Ｆ１０およびカードＩ／Ｆ２０を制御して、ステップ３ｇで選択した撮影済みメモリカードの画像データと、ステップ３ｋで保存用メモリカードに記録した画像データが一致することを確認するために、両データの比較（ベリファイ）を行い、ステップ３ｍに移行する。
【００３２】
ステップ３ｍにおいて制御部１００は、ステップ３ｌの比較結果に基づいて、ステップ３ｇで選択した撮影済みメモリカードの画像データと、ステップ３ｋで保存用メモリカードに記録した画像データが一致したか否かを判定する。ここで、両画像データが一致した場合には、ステップ３ｏに移行し、一方、一致しない場合には、ステップ３ｎに移行する。
【００３３】
ステップ３ｎにおいて制御部１００は、表示部４０を制御して、「コピーに失敗しました。」などの表示を行い、ステップ３ｋのコピーが失敗した旨をユーザに通知して、当該処理を終了する。  
ステップ３ｏにおいて制御部１００は、カードＩ／Ｆ１０を制御して、ステップ３ｇで選択した画像データを削除するとともに、ステップ３ｋでＲＡＭ６０にコピーした画像データを消去し、そして、次の画像データについて同様の処理を行うべく、ステップ３ｅに移行する。
【００３４】
以上のように、上記構成の画像閲覧装置では、カードＩ／Ｆ１０およびカードＩ／Ｆ２０にそれぞれメモリカードが接続されると、画像データが記憶された撮影済みメモリカードから画像データを読み出し、この画像データの日付データから撮影日時を検出し、保存用メモリカードに上記撮影日時のフォルダを作成して、日付毎に画像データを振り分けて記録するようにしている。
【００３５】
したがって、上記構成の画像閲覧装置によれば、ユーザは、撮影済みメモリカードと保存用のメモリカードを接続するという簡単な操作だけで、保存用メモリカードに画像データを日付毎のフォルダに振り分けて保存できるので、ユーザは手を煩わすことなくメモリカード内のデータを整理でき、利便性が高い。  
またこのような簡単なユーザ操作で、画像データを保存用メモリカードに移して撮影済みメモリカードの空き容量を確保できるので、このメモリカードをすぐに撮影用のカードに供することができる。
【００３６】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３７】
その一例として例えば、上記実施の形態では、タッチパネル５０を通じたユーザ要求に応じて、図３に示した処理が開始されるものとして説明したが、これに代わり、もしくはこれに加えて、画像データが記録されていない保存用メモリカードが接続されてたことを制御部１００が検出した場合や、このような保存用メモリカードと、画像データが記録された撮影済みメモリカードとが両方接続されたことを制御部１００が検出した場合に、上記処理を開始するようにしてもよい。
【００３８】
これによれば、ユーザは、特別な要求を与えることなく、撮影済みメモリカードと保存用メモリカードとを接続するだけで、画像データを日付フォルダ毎に振り分けて保存した保存用メモリカードを生成することができ、いっそう利便性が高い。
【００３９】
また、上記実施の形態では、カードＩ／Ｆごとに、保存用メモリカードを接続するスロットと、撮影済みメモリカードを挿入するスロットとを区別するものとして説明したが、これに限定されるものではなく、例えば、どちらのカードＩ／Ｆに接続しても、メモリカードを接続順序で、制御部１００が保存用メモリカードと撮影済みメモリカードとを区別するようにしてもよい。
【００４０】
すなわち、例えば、制御部１００は、先に接続されたメモリカードを撮影済みメモリカードと認識し、後で接続されたメモリカードを保存用メモリカードとして認識して、ステップ３ｅ移行の処理を実行する。あるいは、制御部１００は、先に接続されたメモリカードを保存用メモリカードと認識し、後で接続されたメモリカードを撮影済みメモリカードとして認識して、ステップ３ｅ移行の処理を実行する。いずれによっても、ユーザは、予め認識している所定の順序で、撮影済みメモリカードと保存用メモリカードとをカードＩ／Ｆ１０，２０に接続すればよいので、高い利便性を発揮する。
【００４１】
またこの場合、撮影済みメモリカードもしくは振り分け済みメモリカードを用いて画像を表示部４０に表示している際に、保存用メモリカードを接続するとこちらに画像データが振り分けられ、さらに上記撮影済みメモリカードもしくは上記振り分け済みメモリカードに代わって別の撮影済みメモリカードもしくは振り分け済みメモリカードを接続するとさらにこのメモリカードに振り分けが行われるので、メモリカードの抜き差しだけで、画像データを整理でき、１つのメモリカードに画像データを集めることができる。
【００４２】
なお、上記実施の形態では、制御部１００は、日付け毎にフォルダを作成して、画像データを整理するものとして説明したが、日付けに限らず、月や年でもよく、また時間帯毎にフォルダを作成してもよい。また制御部１００は、年、月、日、時間帯…などと階層構造のフォルダを作成するようにしてもよい。  
その他、この発明の要旨を逸脱しない範囲で種々の変形を施しても同様に実施可能であることはいうまでもない。
【図面の簡単な説明】
【００４３】
【図１】この発明に係わる画像閲覧装置の一実施形態の外観を示す図。
【図２】図１に示した画像閲覧装置の構成を示す回路ブロック図。
【図３】図１に示した画像閲覧装置の画像データ管理機能の処理を説明するためのフローチャート。
【符号の説明】
【００４４】
１０…カードＩ／Ｆ、２０…カードＩ／Ｆ、３０…電源スイッチ、４０…表示部、５０…タッチパネル、６０…ＲＡＭ、７０…ＲＯＭ、８０…電源回路、８１…ＡＣアダプタ、９０…バッテリ、１００…制御部、ＳＴ…スタンド。
【図１】
2009159327.tif 000003
【図２】
2009159327.tif 000004
【図３】
2009159327.tif 000005